(57)【特許請求の範囲】
【請求項１】
入力部を有する情報処理装置本体部と、表示部と、前記本体部と前記表示部とを回動自在に結合する回動支点と、前記本体部の回動支点側に設けた着脱可能な電池パック装置と、前記本体部の回動支点側に着脱可能な外部機器接続用コネクタ装置を有する情報処理装置であって、
前記電池パック装置の筐体部には掌によって抱えて保持する場合に適した形状であるホルダー部と、前記電池パック装置が前記情報処理装置に装着され、固定された状態において、前記電池パック装置と前記情報処理装置本体部との間の結合部に、掌によって抱えて保持する場合に指をかけるための窪みである支持部が形成され、
かつ、前記外部機器接続用コネクタ装置は前記本体部の底面に着脱可能で、かつそこに装着された状態ではその本体部に装着された前記電池パック装置の下部に位置するようにし、前記電池パック装置と外部機器接続用コネクタ装置とが干渉することなく、個別に前記本体部の回動支点側に着脱可能にしたことを特徴とする情報処理装置。
【発明の詳細な説明】
【０００１】
【発明の属する技術分野】
本発明は、パソコン本体部に容易に着脱可能な外部機器接続用コネクタ装置と電池パック装置に関するものである。
【０００２】
【従来の技術】
近年、パソコンはオフィス、自宅等で使用する据え置き型と、出先で使用する携帯型に分類されている。この中で携帯型は、省電力化や使用する部品の小型化、軽量化が進められている。
【０００３】
携帯性を高めるため、外部機器接続用コネクタ部を取り外し可能な増設装置とする方式が用いられている。パソコン本体部分から外部機器接続用コネクタ部を取り外すことにより、パソコン本体部を小型、軽量化できる。パソコン本体より取り外した外部機器接続用コネクタ部をユニット化し、かつパソコン本体部に容易に着脱可能な増設装置とすることで、必要に応じて着脱することによって、外部機器接続という重要な機能を損なうことなく、携帯性を高めたパソコンを提供することができる。
【０００４】
また、携帯型のパソコンは携帯の際には、外部電源のないところでの長時間の使用が求められるため、着脱式の電池パック装置を増設装置として用意する場合が多い。
【０００５】
以下、従来の外部機器接続用コネクタ装置と増設用の電池パック装置とを有したパソコンの構成について図を用いて説明する。
【０００６】
図８は装着脱可能な外部機器接続用コネクタ装置と、増設用の電池パック装置とを有した従来のパソコンの構成例を示す斜視図、図９、図１０は側面図である。
【０００７】
図８において、１３０はパソコン、１３１はパソコン本体部、１４２は入力部であるキーボード、１３２は表示部、１３３、１３４は本体部１３１と表示部１３２とを結合するヒンジ部、線１３５はヒンジ部１３３、１３４の回動中心を示す線、１３６は外部機器と接続するためのコネクタ装置、１３７、１３８はドッキングコネクタ、１３９は本体部１３１とコネクタ装置１３６とを結合するつまみ、１４０は充電式の電池パック装置、１４１は電池パック装置１４０と本体部１３１とを接続する連結コネクタである。
【０００８】
パソコン１３０は、入力部１４２、およびその他の電子回路部等を有する本体部１３１と表示部１３２とよりなる。表示部１３２はヒンジ部１３３、１３４によって本体部１３１と結合されており、回動中心１３５を中心として開閉する。
【０００９】
コネクタ装置１３６は各種コネクタ１４３〜１４７を有し、コネクタ１４３〜１４７を介し外部機器と接続する。入力の操作性を悪くしないために、コネクタ装置１３６はパソコン１３０の背面側に設けるのが普通である。
【００１０】
本体部１３１と外部機器接続用コネクタ装置１３６は、ドッキングコネクタ１３７、１３８で電気的に接続される。外部機器接続用コネクタ装置１３６には先端部にビスを形成したつまみ１３９が取り付けられており、つまみ１３９を指で回すことで本体部１３１との固定、取り外しを行う。
【００１１】
電池パック装置１４０は、コネクタ部１３６が本体部１３１の背面に設置される場合が多いので、本体部１３１の前面、側面、または内部に設けるのが普通である。電池パック装置１４０は連結コネクタ１４１で本体部１３１と接続され、図には示していないラッチ等により固定されている。
【００１２】
図９、図１０は側面図であり、電池パック装置１４０は本体部１３１の操作側に設けられているので、入力時の操作性を悪くしないために突出部が少ない（図９）、または本体内に収容される（図１０）のが一般的である。
【００１３】
【発明が解決しようとする課題】
しかしながら上記従来の構成では、電池パック装置は携帯性を優先させると電池のためのスペースが充分に取れないため、パソコンの動作時間を充分に確保できず、また動作時間を確保しようとすると電池パック装置のサイズ、重量とも大きくなり、操作性と携帯性とが損なわれるという問題点を有していた。
【００１４】
【課題を解決するための手段】
この目的を達成するために本発明の情報処理装置は、電池パック装置を情報処理装置の本体部の回動支点側に設け、電池パック装置を情報処理装置の本体部に装着したときには、電池パック装置の筐体の一部が情報処理装置を携帯する時のホルダー部となるように構成している。
【００１５】
この構成によって、電池パック装置を大型にしても入力の操作性を悪くすることがなく、また携帯性を改良することができる。
【００１６】
【発明の実施の形態】
本発明は、入力部を有する情報処理装置本体部と、表示部と、前記本体部と前記表示部とを回動自在に結合する回動支点と、前記本体部の回動支点側に設けた着脱可能な電池パック装置を有し、前記電池パック装置の筐体部には掌によって抱えて保持する場合に適した形状であるホルダー部と、前記電池パック装置が前記情報処理装置に装着され、固定された状態において、前記電池パック装置と前記情報処理装置本体部との間の結合部に、掌によって抱えて保持する場合に指をかけるための窪みである支持部が形成されていることを特徴とし、これにより電池パック装置を大型にしても入力の操作性を悪くすることがなく、また電池パック装置の一部に携帯用のホルダーと支持部を設けているので掌によって抱えて保持して持ち運ぶのに適した形状として良好である。
また、外部機器接続用コネクタ装置を前記本体部の回動支点側の底面に着脱可能で、かつそこに装着された状態では前記電池パック装置の下部に位置するようにし、電池パック装置と外部機器接続用コネクタ装置とが干渉することなく、個別に前記本体部に着脱可能にしたもので、操作性に優れている。
【００２０】
本発明の請求項３に記載の発明は前記情報処理装置の本体部の回動支点側に外部機器接続用コネクタ装置を着脱可能に配置し、
前記電池パック装置と前記外部機器接続用コネクタ装置とが干渉することなく、個別に着脱できることを特徴とする請求項１に記載の情報処理装置であり、外部機器接続用コネクタ装置よって外部機器との接続が可能で、電池パック装置と外部機器接続用コネクタ装置とが独立して着脱することができるので、操作性が良い。
【００２１】
以下、本発明の実施の形態について携帯用コンピュータを例として、図１から図７を参照しながら説明する。
【００２２】
（実施の形態１）
図１は携帯用コンピュータに増設電池パック装置を装着した時の断面図である。
【００２３】
図１において１は携帯用コンピュータの本体部で、入力用のキーボード２、増設電池パック装置１２、電子回路基板４等を有する。３は本体部からの電気信号を表示する液晶パネル等の表示部である。
【００２４】
表示部３はヒンジ部６によって本体部１と連結している。表示部３はヒンジ部の回動中心７を回動中心として、本体部１に対して開閉する。
【００２５】
増設電池パック装置１２、および後述の標準電池パック装置は本体部１のヒンジ部側、すなわち本体部１の入力操作側とは反対側に設けられている。
【００２６】
増設電池パック装置１２は内部に充電式の複数個の電池８を内蔵しており、外部電源ＡＣ１００Ｖが使用できない携帯時に、電池８が本体部１の電子回路基板４等にＤＣ電流を供給する。電池８は電池パック装置１２の先端のコネクタ端子９と本体部１のコネクタ部１０とによって接続している。
【００２７】
図２は本発明の増設電池パック装置１２と本体部１を説明する斜視図である。標準装備されている標準電池パック装置５は、着脱式のもので本体部１より抜き取ることができる。通常の室内の使用においては、１００ＶのＡＣ電源につながれたＡＣアダプターからＤＣ電流が本体部１に供給されているので、標準電池パック装置５は小型のもので良い。したがって、実施の形態１の例では電池パック装置５は本体１内に収容されている。
【００２８】
増設電池パック装置１２は標準電池パック装置５と比較すると、例えば３〜５倍動作時間を長くすることが可能である。増設電池パック装置１２の両端に設けた案内突起１３を、本体部１の電池パック装置挿入口１４の両側に設けた溝１５に挿入する。挿入時に電池パック装置１２のコネクタ端子１８の両側近くに設けた二ヶ所の切り欠き部（図には示していない）に、本体部１に取り付けたラッチ１６の先端フック部が引っ掛かり、ラッチ１６に取り付けられたばねの力によって、電池パック装置１２は本体部１に固定される。固定時には、電池パック装置１２のコネクタ端子１８と本体部１のコネクタ部とが接触し、本体部１と接続される。
【００２９】
電池パック装置１２を外す場合は、本体部１の底面に位置したラッチ１６の突起部を指でバネ力方向と反対方向にスライドさせると、ラッチ１６の先端フック部の引っ掛かりが外れるため、電池パック装置１２を容易に引き出すことができる。
【００３０】
標準電池パック装置５と増設電池パック装置１２の挿入部の構造は同一であり、案内突起１７を本体部１の溝１５に合わせ挿入するとラッチ１６の先端フック部が電池パック装置５の切り欠き部に引っ掛かり、ラッチ１６に取り付けたばねの力によって固定されるようになっている。固定時には、コネクタ端子９とコネクタ部１０とが接触し、本体部１と接続される。電池パック装置５の取り外しも電池パック装置１２と同様に行う。
【００３１】
図３は本体部１と電池パック装置５、１２との結合部分の拡大断面図である。図３では矢印で範囲を示した電池パック装置１２の挿入先端部の形状は、上記説明したように電池パック装置５と同一である。異なるのは電池収容部の大きさである。電池パック装置５の電池収容部１９に対して電池パック装置１２の電池収容部は２０に拡大されている。
【００３２】
図１の例では、電池パック装置５に収容されている電池８の数は１本に対し、電池パック装置１２では３本の電池が追加され、合計４本の電池が収容されている。
【００３３】
さらに大容量が必要な場合には、電池収容部２１のように拡大することも可能である。
【００３４】
電池収容部２０の筐体には、掌で抱えるためのホルダー部２２と、指をかけるための窪みである支持部２３が形成されている。
【００３５】
図４は本発明の本体装置を抱えて携帯している様子を示す図である。
図５の本発明の装置は、ホルダー部２４の両側に支持部２５、２６を設けたものである。このようにすれば、抱える時にも安全に抱えることができる上に、図５に示すように吊して携帯することもできる。
【００３６】
なお、支持部の形状は指に引っ掛かり感を与えるものであれば、窪みに限定されるものでない。線状の複数の凹凸、細かな点状凹凸等であっても構わない。
【００３７】
本発明、実施の形態１の携帯用コンピュータは、電池パック装置を大きくしても操作性を悪くすることがなく、逆に電池パック装置によってホルダー部を形成したことにより携帯性が改良される。
【００３８】
また、電池パック装置の筐体は内部に収容する電池の液もれ対策等を考慮して頑丈に構成されており、ホルダー用途としての十分な強度を有する。
【００３９】
さらに、ユーザの希望によっては数種類の容量の異なる増設電池パックを用意することも可能である。
【００４０】
（実施の形態２）
実施の形態２は増設装置として、前記増設電池パック装置１２と外部機器接続用コネクタ装置を有する情報処理装置の一例として携帯用コンピュータを説明する。
【００４１】
図６は本発明の携帯用コンピュータ本体と増設装置を示す斜視図である。
図６において、本体部１と電池パック装置１２は実施の形態１と同一のものであり、符号１〜２６の説明は省略する。
【００４２】
２７は外部機器接続用コネクタ装置、２８は本体部１と接続するためのドッキングコネクタ、２９は外部機器接続用コネクタ装置２７と本体部１とを固定するためのつまみ、３０〜３４はプリンター、ＦＤＤ、シリアル、パラレル、ＶＧＡ、ＦＤＤ、ＰＳ／２等の外部機器と接続するためのコネクタである。
【００４３】
外部機器接続用コネクタ装置２７は、電池パック装置１２と同様に本体部１のヒンジ部６側に設けられている。コネクタ装置２７の装着位置は電池パック装置１２の下部であって、装着脱時にお互いに干渉しない構成としている。
【００４４】
本体部１と外部機器接続用コネクタ装置２７との装着は、ドッキングコネクタ２８を本体部１の底面に設けた、図７（ａ）に示すドッキングコネクタ３５に挿入することで電気的な接続が行われる。外部機器接続用コネクタ装置２７の両側に設けた二つのつまみ２９を手で回すことで、つまみ先端のねじ部により、本体部１に固定する。
【００４５】
図７（ａ）は本体部１に外部機器接続用コネクタ装置２７と標準電池パック装置５とを装着した時の側面図であり、この状態で携帯コンピュータを稼動させ、外部機器と接続することができる。コネクタ装置２７にもホルダー部、支持部に相当する凹凸があるので、これを携帯時の取っ手とすることも可能である。しかし、電池パック装置よりは強度が劣り、またコネクタ装置２７には端子等の鋭角部があることから、携帯取っ手として便利なものとは思えない。
【００４６】
図７（ｂ）は、電池パック装置１２と外部機器接続用コネクタ装置２７とを本体部１に同時に取り付けた時の側面図である。
【００４７】
図７（ｂ）の状態では、携帯コンピュータを稼動させ、外部機器と接続することができる。
【００４８】
本発明の実施の形態２の携帯用コンピュータは、コネクタ装置２７と電池パック装置１２とが個別に装着脱できるので、操作性に優れている。
【００４９】
また、電池パック装置１２に設けられたホルダー部、支持部を有するので携帯性が良い。
【００５０】
【発明の効果】
以上のように本発明は、電池パック装置をパソコン本体部に装着した時、電池パック装置の筐体の一部が、情報処理装置を携帯する時のホルダー部を形成することにより、上記装置をパソコン本体に装着した状態でも優れた携帯性を実現できるものである。
【００５１】
また、電池パック装置の装着位置を本体装置の入力操作側とは反対側としたので、電池パック装置の容量を大きくしても入力時の操作性を悪くすることはなく、さらに、外部機器接続用コネクタ装置を前記本体部の回動支点側の底面に着脱可能で、かつ装着された状態では前記電池パック装置の下部に位置するようにし、電池パック装置と外部機器接続用コネクタ装置とが干渉することなく、個別に前記本体部の回動支点側に着脱可能にしたことにより、操作性に優れている。
【図面の簡単な説明】
【図１】本発明の一実施の形態における携帯用パーソナルコンピュータの断面図
【図２】図１の実施の形態における本体部と電池パック装置の構造を示す斜視図
【図３】図１の実施の形態における本体部と電池パック装置との装着部の拡大断面図
【図４】本発明の一実施の形態における携帯用パーソナルコンピュータを携帯している図
【図５】本発明の一実施の形態における別の形態の携帯用パーソナルコンピュータを携帯している図
【図６】本発明の一実施の形態における別の形態の携帯用パーソナルコンピュータの斜視図
【図７】図６の側面図
【図８】従来例の携帯用パーソナルコンピュータの斜視図
【図９】従来例の携帯用パーソナルコンピュータの側面図
【図１０】従来例の携帯用パーソナルコンピュータの側面図
【符号の説明】
１  パソコン本体部
３  表示部
７  回動中心
１２  電池パック装置
２２  ホルダー部
【図１】
0004096385.tif 000002
【図２】
0004096385.tif 000003
【図３】
0004096385.tif 000004
【図４】
0004096385.tif 000005
【図５】
0004096385.tif 000006
【図６】
0004096385.tif 000007
【図７】
0004096385.tif 000008
【図８】
0004096385.tif 000009
【図９】
0004096385.tif 000010
【図１０】
0004096385.tif 000011